【手続補正書】
【提出日】平成19年7月26日(2007.7.26)
【手続補正１】
【補正対象書類名】特許請求の範囲
【補正対象項目名】全文
【補正方法】変更
【補正の内容】
【特許請求の範囲】
【請求項１】
モーターアセンブリー、該モーターアセンブリーの第一端部に取り付けられた第一圧縮機及び該モーターアセンブリーの第二端部に取り付けられた第二圧縮機を包含するツイン圧縮機であって、該モーターアセンブリーが該第一圧縮機及び該第二圧縮機の間に位置し、該第一圧縮機及び該第二圧縮機の各々が第一ステージ羽根車及び第二ステージ羽根車を有する遠心圧縮機であって、第一ステージ羽根車及び第二ステージ羽根車が、該モーターアセンブリーの固定子によって駆動される回転子の端に互いに隣り合うように取り付けられおり、第一圧縮機と第二圧縮機とが鏡像関係にあることを特徴とするツイン圧縮機。
【請求項２】
第一圧縮機及び第二圧縮機が各々多段圧縮機を形成することを特徴とする請求項１に記載のツイン圧縮機。
【請求項３】
固定子がブラシレスＤＣ永久磁石固定子であることを特徴とする請求項１に記載のツイン圧縮機。
【請求項４】
モーターアセンブリー、該モーターアセンブリーの第一端部に取り付けられた第一圧縮機及び該モーターアセンブリーの第二端部に取り付けられた第二圧縮機を包含するツイン圧縮機であって、該モーターアセンブリーが該第一圧縮機及び該第二圧縮機の間に位置し、該第一圧縮機及び該第二圧縮機の各々が第一ステージ羽根車及び第二ステージ羽根車を有する遠心圧縮機であって、第一ステージ羽根車及び第二ステージ羽根車が、該モーターアセンブリーの固定子によって駆動される回転子の端に互いに隣り合うように取り付けられおり、回転子にかかるアキシアル荷重に抵抗するためのラジアル無給油軸受及びアキシアル無給油軸受を更に包含することを特徴とするツイン圧縮機。
【請求項５】
モーターアセンブリー、該モーターアセンブリーの第一端部に取り付けられた第一圧縮機及び該モーターアセンブリーの第二端部に取り付けられた第二圧縮機を包含するツイン圧縮機であって、該モーターアセンブリーが該第一圧縮機及び該第二圧縮機の間に位置し、該第一圧縮機及び該第二圧縮機の各々が第一ステージ羽根車及び第二ステージ羽根車を有する遠心圧縮機であって、第一ステージ羽根車及び第二ステージ羽根車が、該モーターアセンブリーの固定子によって駆動される回転子の端に互いに隣り合うように取り付けられおり、回転子が希土類材料からなることを特徴とするツイン圧縮機。
【請求項６】
モーターアセンブリー、該モーターアセンブリーの第一端部に取り付けられた第一圧縮機及び該モーターアセンブリーの第二端部に取り付けられた第二圧縮機を包含するツイン圧縮機であって、該モーターアセンブリーが該第一圧縮機及び該第二圧縮機の間に位置し、該第一圧縮機及び該第二圧縮機の各々が第一ステージ羽根車及び第二ステージ羽根車を有する遠心圧縮機であって、第一ステージ羽根車及び第二ステージ羽根車が、該モーターアセンブリーの固定子によって駆動される回転子の端に互いに隣り合うように取り付けられおり、更に圧縮機制御システムを包含することを特徴とするツイン圧縮機。
【請求項７】
モーターアセンブリーが高速電気モーターアセンブリーであることを特徴とする請求項１、４、５、６のいずれかに記載のツイン圧縮機。
【請求項８】
高温安定性及び高温耐熱性を有する材料からなるハウジングを更に包含することを特徴とする請求項１に記載のツイン圧縮機。
【請求項９】
モーターアセンブリー、該モーターアセンブリーの第一端部に取り付けられた第一圧縮機及び該モーターアセンブリーの第二端部に取り付けられた第二圧縮機を包含するツイン圧縮機であって、該モーターアセンブリーが該第一圧縮機及び該第二圧縮機の間に位置し、該第一圧縮機及び該第二圧縮機の各々が第一ステージ羽根車及び第二ステージ羽根車を有する遠心圧縮機であって、第一ステージ羽根車及び第二ステージ羽根車が、該モーターアセンブリーの固定子によって駆動される回転子の端に互いに隣り合うように取り付けられおり、高温安定性及び高温耐熱性を有する材料からなるハウジングを更に包含し、ハウジングが、射出成形された合成プラスチック材料、ガラス繊維充填材料、機械加工された材料及び鋳造金属からなる群より選ばれる材料からなることを特徴とするツイン圧縮機。
【請求項１０】
ブラシレスＤＣ永久磁石固定子及び回転子からなる高速電気モーターアセンブリー；
該回転子の第一端部に取り付けられた第一遠心圧縮機；及び
該回転子の第二端部に取り付けられた第二遠心圧縮機
からなるツイン遠心圧縮機であって、
第一遠心圧縮機及び第二遠心圧縮機の各々が第一ステージ羽根車及び第二ステージ羽根車を有し、第一遠心圧縮機の第一ステージ羽根車及び第二ステージ羽根車が、モーターアセンブリーのブラシレスＤＣ永久磁石固定子によって駆動される回転子の第一端に取り付けられており、第二遠心圧縮機の第一ステージ羽根車及び第二ステージ羽根車が、モーターアセンブリーのブラシレスＤＣ永久磁石固定子によって駆動される回転子の第二端に取り付けられており、 
該回転子が希土類材料からなることを特徴とするツイン遠心圧縮機。
【請求項１１】
回転子にかかるアキシアル荷重に抵抗するためのラジアル無給油軸受及びアキシアル無給油軸受を更に包含することを特徴とする請求項１０に記載のツイン遠心圧縮機。
【請求項１２】
ブラシレスＤＣ永久磁石固定子及び回転子からなる高速電気モーターアセンブリー； 
該回転子の第一端部に取り付けられた第一遠心圧縮機；及び 
該回転子の第二端部に取り付けられた第二遠心圧縮機 
からなるツイン遠心圧縮機であって、 
第一遠心圧縮機及び第二遠心圧縮機の各々が第一ステージ羽根車及び第二ステージ羽根車を有し、第一遠心圧縮機の第一ステージ羽根車及び第二ステージ羽根車が、モーターアセンブリーのブラシレスＤＣ永久磁石固定子によって駆動される回転子の第一端に取り付けられており、第二遠心圧縮機の第一ステージ羽根車及び第二ステージ羽根車が、モーターアセンブリーのブラシレスＤＣ永久磁石固定子によって駆動される回転子の第二端に取り付けられており、 
回転子にかかるアキシアル荷重に抵抗するためのラジアル無給油軸受及びアキシアル無給油軸受を更に包含し、 
該電気モーターの回転数が１５０，０００ｒｐｍを超えることを特徴とする遠心圧縮機。
【請求項１３】
ブラシレスＤＣ永久磁石固定子及び回転子からなる高速電気モーターアセンブリー； 
該回転子の第一端部に取り付けられた第一遠心圧縮機；及び 
該回転子の第二端部に取り付けられた第二遠心圧縮機 
からなるツイン遠心圧縮機であって、 
第一遠心圧縮機及び第二遠心圧縮機の各々が第一ステージ羽根車及び第二ステージ羽根車を有し、第一遠心圧縮機の第一ステージ羽根車及び第二ステージ羽根車が、モーターアセンブリーのブラシレスＤＣ永久磁石固定子によって駆動される回転子の第一端に取り付けられており、第二遠心圧縮機の第一ステージ羽根車及び第二ステージ羽根車が、モーターアセンブリーのブラシレスＤＣ永久磁石固定子によって駆動される回転子の第二端に取り付けられており、 
回転子にかかるアキシアル荷重に抵抗するためのラジアル無給油軸受及びアキシアル無給油軸受を更に包含し、 
該無給油軸受が受動／能動型軸受及び能動型軸受からなる群より選ばれる電磁軸受であることを特徴とするツイン遠心圧縮機。
【請求項１４】
更に制御回路を包含することを特徴とする請求項１３に記載のツイン遠心圧縮機。
【請求項１５】
更に制御回路を包含し、該制御回路が三次元プリント回路、及び軸受の固定部及び回転部に設けられたセンサーからなることを特徴とする請求項１３に記載のツイン遠心圧縮機。
【請求項１６】
該制御回路が電力供給手段を有することを特徴とする請求項１４又は１５に記載のツイン遠心圧縮機。
【請求項１７】
請求項１に記載のツイン圧縮機を、異なる条件下で運転する複数のデュアル蒸発器、凝縮器及び受液器と組み合わせて用いることによって種々の荷重条件及び種々の吸気温度での運転を可能にすることを特徴とする請求項１に記載のツイン圧縮機の用途。
【請求項１８】
請求項１のツイン圧縮機から複数の凝縮器に気体を導入し、得られる凝縮物を、該複数の凝縮器から一本の共通の液ラインを介して複数の蒸発器に導入することを特徴とする請求項１のツイン圧縮機の用途。
【請求項１９】
請求項１のツイン圧縮機から複数の凝縮器に気体を導入し、得られる凝縮物を、該凝縮器より液ラインを介して蒸発器に導入することを特徴とする請求項１のツイン圧縮機の用途。
【請求項２０】
ツイン圧縮機の第一組のステージから接続チューブを介してツイン圧縮機の第二組のステージに気体を直接導入し、該第二組のステージから凝縮器に該気体を注入し、得られる凝縮物を該凝縮器から蒸発器に導入し、得られる気体を該蒸発器から該第一組のステージにリサイクルすることを特徴とする請求項１０に記載のツイン圧縮機。
【請求項２１】
高速電気モーターアセンブリーの回転子の第一端に取り付けられた第一圧縮機；及び該回転子の第二端に取り付けられた第二圧縮機を包含するモジュール型冷却システムであって、該第一圧縮機及び第二圧縮機が各々第一ステージ羽根車及び第二ステージ羽根車を有する遠心圧縮機であって、該第一圧縮機の第一ステージ羽根車及び第二ステージ羽根車が、モーターアセンブリーのブラシレスＤＣ永久磁石固定子によって駆動される該回転子の第一端に取り付けられており、該第二圧縮機の第一ステージ羽根車及び第二ステージ羽根車が、モーターアセンブリーのブラシレスＤＣ永久磁石固定子によって駆動される該回転子の第二端に取り付けられていることを特徴とするモジュール型冷却システム。
【請求項２２】
検出した荷重条件により追加圧縮機を始動及び停止する制御ロジックを更に包含することを特徴とする請求項２１に記載のモジュール型冷却システム。
【請求項２３】
無給油軸受技術を用いることを特徴とする請求項２１又は２２に記載のモジュール型冷却システム。